(57)【要約】【課題】金管楽器の演奏時の肉体的な負担を軽減する。【解決手段】金管楽器のマウスピース１００は、金管楽器の本体２００に連結されるシャンク部１０と、演奏者の唇に接触するリム部３０とを含む。シャンク部１０の中心軸の方向からみて、リム部３０の内周３１は、当該中心軸Ａに垂直なＸ方向に長尺な形状である。例えば、リム部３０の内周３１は、長円形または楕円形とされる。また、リム部３０の内周３１は、シャンク部１０の中心軸に直交する直線を挟んで非対称である。【選択図】図１
2008152015.tif 000002
【特許請求の範囲】
【請求項１】
演奏者の唇に接触するリム部と金管楽器の本体に連結されるシャンク部とを含み、
前記シャンク部の中心軸の方向からみて、前記リム部の内周は、当該中心軸に垂直な方向に長尺な形状である
ことを特徴とする金管楽器用マウスピース。
【請求項２】
前記シャンク部の中心軸の方向からみて、前記リム部の内周の少なくとも一部は長円形または楕円形である
ことを特徴とする請求項１に記載の金管楽器用マウスピース。
【請求項３】
前記リム部の内周は、前記中心軸に直交する第１直線を挟んで非対称である
ことを特徴とする請求項１または請求項２に記載の金管楽器用マウスピース。
【請求項４】
前記リム部の内周は、前記中心軸と前記第１直線とに直交する第２直線を挟んで非対称である
ことを特徴とする請求項３に記載の金管楽器用マウスピース。
【請求項５】
前記リム部と前記シャンク部とを連結するカップ部の内面は、当該金管楽器用マウスピースの内径が最小となるスロートの内面が前記中心軸の方向からみて真円形となるように、前記リム部の内周から前記スロートにかけて連続する曲面である
ことを特徴とする請求項１から請求項４の何れかに記載の金管楽器用マウスピース。
【請求項６】
前記リム部のうち前記中心軸の方向における端面は凹面である
ことを特徴とする請求項１から請求項５の何れかに記載の金管楽器用マウスピース。
【請求項７】
演奏者の唇に接触するリム部と金管楽器の本体に連結されるシャンク部とを含み、
前記リム部のうち前記シャンク部の中心軸の方向における端面は凹面である
ことを特徴とする金管楽器用マウスピース。
【請求項８】
前記リム部の端面は、前記中心軸に垂直な方向を中心軸とする円柱の内周面である
ことを特徴とする請求項６または請求項７に記載の金管楽器用マウスピース。
【発明の詳細な説明】
【技術分野】
【０００１】
本発明は、金管楽器の演奏に使用されるマウスピースに関する。
【背景技術】
【０００２】
トランペットやトロンボーンなど各種の金管楽器の演奏にはマウスピースが使用される。特許文献１や特許文献２に開示されるように、マウスピースは、演奏者の唇に接触する円環状のリム部と金管楽器の本体に連結される管状のシャンク部とを含む。
【特許文献１】特開２００４−６１５７３号公報
【特許文献２】米国特許第５３５３６７３号
【発明の開示】
【発明が解決しようとする課題】
【０００３】
ところで、図１６に示すように、特許文献１や特許文献２のマウスピースを中心軸の方向からみたリム部８０の形状は真円形である。これに対し、リム部８０に接触する演奏者の唇５０は、図１６に示すように水平方向に長尺な形状である。したがって、実際に吹奏に利用できるのは唇５０のうちリム部８０の内側の僅かな部分に過ぎない（すなわち唇５０の両端部の近傍は発音に寄与しない）。また、唇５０の狭い部分がマウスピースからの圧力によって集中的に圧迫される。したがって、金管楽器を充分な音量で長時間にわたって演奏する場合の演奏者の肉体的な負担は、例えば演奏者がマウスピースを口に銜えて吹奏するクラリネットやサクソフォンなどの木管楽器と比較して大きい。以上の事情を背景として、本発明は、金管楽器の演奏時の肉体的な負担を軽減するという課題の解決を目的としている。
【課題を解決するための手段】
【０００４】
以上の課題を解決するために、本発明のひとつの態様に係る金管楽器用マウスピースは、演奏者の唇に接触するリム部と金管楽器の本体に連結されるシャンク部とを含み、シャンク部の中心軸の方向からみて、リム部の内周は、当該中心軸に垂直な方向（例えば図１のＸ方向）に長尺な形状である。すなわち、リム部の内周のうち中心軸に垂直な方向の寸法は当該方向以外における寸法よりも大きい。例えば、リム部の内周の少なくとも一部は長円形または楕円形とされる。
【０００５】
以上の態様においてはリム部の内周が長尺状に成形されるから、リム部と唇とで長手の方向が合致するように唇をリム部に接触させれば、唇の広い範囲をリム部の内側にて振動させることが可能となる。したがって、リム部が真円形である場合と比較して演奏者の肉体的な負担が軽減される。なお、以上のようにリム部の内周が長尺状である構成に加えて（またはこの構成に代えて）、リム部の外周が中心軸に垂直な方向に長尺な形状とされた構成を採用することも可能である。
【０００６】
本発明の好適な態様において、リム部の内周は、中心軸に直交する第１直線（例えば図５から図１０の直線Ｌx）を挟んで非対称である。本態様においてはリム部が第１直線を挟んで非対称に成形されるから、相互に非対称である上唇および下唇の各々を効率的に振動させることが可能となる。したがって、演奏者の肉体的な負担はいっそう軽減される。さらに、リム部の内周を、中心軸と第１直線とに直交する第２直線（例えば図６から図１０の直線Ｌy）を挟んで非対称な形状とすれば、演奏者の唇が左右で非対称であっても、マウスピースから唇に作用する圧力は唇の左半分と右半分とで均等化されるから、やはり演奏者の肉体的な負担が軽減される。
【０００７】
本発明の好適な態様において、リム部とシャンク部とを連結するカップ部の内面は、当該金管楽器用マウスピースの内径が最小となるスロートの内面が中心軸の方向からみて真円形となるように、リム部の内周からスロートにかけて連続する曲面である。本態様によれば、空気がマウスピース内を円滑に流動するから、充分な音量の楽音を安定的に発生させることが可能となる。
【０００８】
本発明の別の態様に係る金管楽器用マウスピースは、演奏者の唇に接触するリム部と金管楽器の本体に連結されるシャンク部とを含み、リム部のうちシャンク部の中心軸の方向における端面（例えば図１３の唇接触面３４）は凹面である。例えば、リム部の端面は、例えば、中心軸に垂直な方向を中心軸とする円柱の内周面や球体の内周面、あるいは複数の平面を組み合わせた凹面とされる。
【０００９】
以上の態様によれば、所定の曲率をもった曲面である唇に対してリム部の端面が均等に密着するから、リム部の端面が平面である場合ほどにはマウスピースを唇に押し付けなくても、口腔とマウスピースとの機密性が確保される。したがって、演奏者の肉体的な負担が軽減される。
【発明を実施するための最良の形態】
【００１０】
＜Ａ：第１実施形態＞
＜Ａ−１：マウスピースの構造＞
図１は、金管楽器のマウスピースの構造を示す正面図および断面図である。同図に示すように、マウスピース１００は、シャンク部１０とカップ部２０とリム部３０とが一体に成形された構造となっている。シャンク部１０は、先端部が金管楽器の本体２００に連結される管状（円筒状）の部分である。シャンク部１０の中心軸Ａの方向を以下ではＺ方向と表記する。図１におけるＸ方向およびＹ方向はＺ方向に垂直な方向である。Ｘ方向は、演奏者の唇の両端を結ぶ方向（すなわち水平方向）に相当し、Ｙ方向は鉛直方向に相当する。
【００１１】
カップ部２０は、シャンク部１０の基端部に連結された中空の部分である。カップ部２０の内部の空間であるカップ２２は、スロート２４を介して、シャンク部１０の内部の空間であるバックボア１２に連通する。スロート２４は、マウスピース１００の内部の空間のうち直径（シャンク部１０の中心軸Ａと垂直な方向の寸法）が最小となる部位である。
【００１２】
リム部３０は、カップ部２０のうちシャンク部１０とは反対側に連結された環状の部分である。演奏者は、リム部３０のうちシャンク部１０の中心軸Ａの方向における端面（以下「唇接触面」という）３４に自身の唇を接触させた状態で金管楽器を吹奏する。演奏者の口腔から放出された空気は、リム部３０の内側からカップ部２０に進入し、スロート２４とバックボア１２とを通過したうえで金管楽器の本体２００に流入する。
【００１３】
図１の正面図に示すように、リム部３０の形状は、Ｚ方向からみたときのリム部３０の内周３１および外周３２が、Ｘ方向に長尺な形状となるように選定されている。さらに詳述すると、本形態におけるリム部３０の内周３１および外周３２は、Ｘ方向に沿う長軸とＹ方向に沿う短軸とで画定される楕円形である。したがって、図１に示すように、リム部３０の内周３１におけるＸ方向の寸法（長径）２ＤxはＹ方向の寸法（短径）２Ｄyと比較して大きい。
【００１４】
図２は、唇接触面３４からスロート２４までの区間におけるカップ部２０の内面の形状を示す概念図である。同図においては、中心軸Ａの方向に沿った位置が、唇接触面３４を基準（ゼロ）として横軸に図示されている。また、図２の縦軸は、中心軸Ａからカップ部２０の内周３１までの距離（カップ２２の半径）である。
【００１５】
図２の曲線Ｑxは、中心軸Ａを通過するＸ-Ｚ平面内におけるカップ部２０の内面の形状を示し、図２の曲線Ｑyは、中心軸Ａを通過するＹ-Ｚ平面内におけるカップ部２０の内面の形状を示す。曲線ＱxおよびＱyの各々を挟んで中心軸Ａ側（下方）の領域がカップ２２である。図２に示すように、リム部３０の内周３１はＸ方向の寸法２ＤxとＹ方向の寸法２Ｄyとが相違する楕円形であるのに対し、スロート２４の内面は、Ｘ方向とＹ方向とで寸法が等しい真円形（半径＝２ｍｍ）である。したがって、カップ部２０の内面におけるＸ-Ｚ平面内の外形（曲線Ｑx）とＹ-Ｚ平面内の外形（曲線Ｑy）とは相違する。すなわち、カップ部２０の内面は、スロート２４における内径が真円形となるように、唇接触面３４からスロート２４にかけてカップ部２０の内径が連続的に変化する曲面に成形される。
【００１６】
図３は、唇接触面３４からスロート２４にかけてカップ部２０の内径が変化する様子を示す概念図である。同図に示すように、唇接触面３４におけるカップ部２０のＹ方向の内径Ｃyを中心軸Ａに沿った位置に拘わらず固定値「１」に正規化すると、唇接触面３４におけるカップ部２０のＸ方向の内径Ｃx（リム部３０の内周３１における長径２Ｄx）は「１＋α」と表記される。図２に示すようにスロート２４の内面は真円形であるから、スロート２４の位置においてカップ部２０の内径ＣxとＣyとは合致する。
【００１７】
図３の態様Ｆ1は、唇接触面３４からスロート２４にかけて内径Ｃxが内径Ｃyに対して線形に変化するようにカップ部２０の内面を成形した態様である。一方、態様Ｆ2およびＦ3においては、内径Ｃxが内径Ｃyに対して非線形に変化する。すなわち、態様Ｆ2においては、スロート２４の近傍にて内径Ｃxが内径Ｃyに接近するように（換言すると、スロート２４の近傍に至るまで内径ＣxおよびＣyが唇接触面３４における内径ＣxおよびＣyの比率と同等に相違するように）カップ部２０の内面の形状が選定される。態様Ｆ3においては、唇接触面３４の近傍にて内径Ｃxが内径Ｃyに接近するようにカップ部２０の内面が成形される。金管楽器から発生する楽音の特性はカップ２２の形状に影響される。したがって、実際のカップ部２０の内面の形状は、例えば図３の態様Ｆ1からＦ3のなかから、所望の特性の楽音が得られるように適宜に選定される。
【００１８】
従来のマウスピースはリム部やカップ部を含めて完全な回転体であるから、通常は旋盤を利用した切削によって作成される。これに対し、本形態のマウスピース１００はリム部３０やカップ部２０が非回転体であるから、ＣＡＭ（Computer Aided Manufacturing）技術やＮＣ（Numerical Control machining）加工機を使用して銀や真鍮などの素材を３次元的に加工することで作成される。また、金型を利用した鋳造技術や射出成形技術を利用してマウスピース１００を作成してもよい。
【００１９】
図４は、Ｚ方向からみたときのリム部３０と演奏者の唇５０との関係を示す概念図である。同図に示すように、本形態のリム部３０は演奏者の唇５０に沿ってＸ方向に長尺な形状に成形されるから、図１６のようにリム部８０が真円形である場合と比較して、唇５０の広い範囲をリム部３０の内側にて振動させることが可能である。したがって、演奏者の肉体的な負担を軽減しながら充分な音量の楽音を発生させることができる。また、唇５０のうちリム部３０に接触する面積が図１６の構成と比較して拡大するから、マウスピース１００による唇５０の圧迫が軽減され、これによって唇５０の疲労や充血が抑制されるという利点がある。
【００２０】
ところで、特許文献２には、カップの下面に突起を形成したマウスピースが開示されている。しかし、特許文献２の構成においては、突起とそれ以外の部分との境界にてカップの壁面が不連続となるから、マウスピース内における空気の円滑な流動が阻害され、金管楽器の発生する楽音が不安定になるという問題がある。これに対し、本形態におけるカップ部２０の内面は、図２や図３に示したようにリム部３０の内周３１からスロート２４にかけて連続的に変化する曲面であるから、マウスピース１００内の空気は従来のマウスピースと同等に円滑に流動する。したがって、充分な音量の楽音を安定的に発生させることが可能となる。
【００２１】
＜Ｂ：第２実施形態＞
マウスピース１００のリム部３０やカップ部２０の形状は第１実施形態の例示に限定されない。例えば以下の各態様も採用される。なお、以下の各態様において第１実施形態と同様の要素については以上と同じ符号を付して各々の詳細な説明を適宜に省略する。
【００２２】
＜Ｂ−１：第１の態様＞
図５は、第１の態様に係るリム部３０の形状を示す正面図である。同図の直線Ｌxは、中心軸Ａに直交するＸ方向の直線である。図５に示すように、本態様に係るマウスピース１００のリム部３０（より厳密には内周３１および外周３２の各々）は直線Ｌxを挟んで非対称である。さらに詳述すると、リム部３０のうち直線Ｌxを挟んで上側の部分３０Uは、下側の部分３０Bと比較して真円に近い（離心率が小さい）楕円形となっている。したがって、部分３０Uの半短径（楕円形の短軸を２等分した半短軸の寸法）Ｄy1は部分３０Bの半短径Ｄy2よりも大きい。
【００２３】
人間の上唇と下唇とは非対称である。本態様のリム部３０は直線Ｌxを挟んで非対称であるから、演奏者の唇の形状と整合する形状に成形され得る。すなわち、リム部３０の部分３０Uは、演奏に際して上唇が効率的に振動するように上唇の外形に応じた形状および寸法に成形され、部分３０Bは、下唇が効率的に振動するように下唇の外形に応じた形状および寸法に成形される。したがって、本態様によれば、演奏者の肉体的な負担を第１実施形態よりも軽減することが可能である。
【００２４】
＜Ｂ−２：第２の態様＞
図６は、第２の態様に係るリム部３０の形状を示す正面図である。同図の直線Ｌyは、中心軸Ａと直線Ｌxとに直交するＹ方向の直線である。人間の唇は口蓋の形状に応じて左右に非対称となる場合がある。そこで、本形態のリム部３０（より厳密には内周３１および外周３２の各々）は、直線Ｌyを挟んで非対称となるように成形される。すなわち、リム部３０のうち直線Ｌyを挟んで右側の部分３０Rは演奏者の唇の右半分の外形に応じた形状および寸法に成形され、左側の部分３０Lは唇の左半分の外形に応じた形状および寸法に成形される。なお、図６において、リム部３０の部分３０Uと部分３０Bとが非対称とされる構造は第１の態様と同様である。
【００２５】
以上に説明したように、本態様においてはリム部３０が直線Ｌyを挟んで非対称に成形されるから、演奏者の唇が左右で非対称であっても、マウスピース１００から唇に作用する圧力を唇の左半分と右半分とで均等化することができる。したがって、演奏者の肉体的な負担がいっそう軽減されるという利点がある。
【００２６】
＜Ｂ−３：その他の態様＞
リム部３０の形状は楕円形に限定されない。例えば、リム部３０の内周３１や外周３２を図７や図８の形状としてもよい。図７に例示するリム部３０は、直線Ｌxや直線Ｌyに対して所定の角度をなす直線Ｌ上の曲率半径が他の部分と比較して小さい形状である。また、図８に例示するリム部３０は、直線ＬxやＬy上の曲率半径が他の部分と比較して小さい形状である。さらに、以上に例示した各形状を適宜に組み合わせてもよい。例えば、図９に示すように、図７の形状に成形された部分３０Uと図８の形状に成形された部分３０Bとを組み合わせたリム部３０や、図１０に示すように、図８の形状に成形された部分３０Uと図７の形状に成形された部分３０Bとを組み合わせたリム部３０が採用される。以上に例示したように、本発明の好適な態様においては、リム部３０の内周３１がＸ方向に長尺な形状であれば足り、具体的な形状の如何（楕円形であるか否か）や対称性の有無は任意である。
【００２７】
＜Ｂ−４：リム部３０の形状を設定する方法＞
リム部３０の形状は例えば以下のように設定される。なお、以下では、リム部３０の内周３１のうちＸ-Ｙ平面内の第１象限に属する部分の形状を選定する方法について説明するが、リム部３０の内周３１の他の部分の形状やリム部３０の外周３２の形状の選定にも同様の方法が採用される。
【００２８】
図１１(a)に示すようにＸ軸とＹ軸とＺ軸とが直交する座標系を想定する。Ｘ-Ｚ平面内に配置された半径ａの真円形の円盤６１を図１１(a)および(b)のようにＸ軸を中心として回転させると、当該円盤６１をＸ-Ｚ平面に投影した図形は長径２ａ（短径２ｂ）の楕円６３となる。楕円６３は次式で表現される。
（Ｘ2／ａ2）＋（Ｚ2／ｂ2）＝１
したがって、式(1)が導出される。
Ｚ＝±ｂ｛１−（Ｘ2／ａ2）｝1/2  ……(1)
【００２９】
図１１(b)に示すように、Ｘ軸に平行な軸線６５を中心とした真円６７の円周に沿うように円盤６１を変形させた場合を想定する。軸線６５（(Z,Y)＝(Z0,Y0)）を中心とした半径Ｒの真円６７は式(2)で表現される。
（Ｚ−Ｚ0）2＋（Ｙ−Ｙ0）2＝Ｒ2  ……(2)
式(2)は式(2a)に変形される。
Ｙ＝Ｙ0±｛Ｒ2−（Ｚ−Ｚ0）2｝1/2  ……(2a)
【００３０】
式(1)の変数Ｚを式(2a)に代入することで変数Ｘと変数Ｙとの関係が導出される。図１２は、半径Ｒを変化させた各ケースについて変数Ｘと変数Ｙとの関係を示すグラフである。同図においては楕円が併記されている。図１に示したように唇接触面３４がＸ-Ｙ平面内に位置するようにリム部３０を配置した場合を想定すると、リム部３０の内周３１のうち第１象限に相当する部分は、以上の手順で算定された変数ＸおよびＹの関係を満たす曲線（すなわち図１２のように所望の半径Ｒに応じた曲線）となるように成形される。
【００３１】
なお、式(2a)におけるＹ0およびＺ0は以下の手順で算定される。
図１１(b)に示すように、式(2)の真円６７は（Z，Y）＝（0,0），（ｂ,γ）を通過する。したがって、以下の式(3)および式(4)が成立する。
Ｚ02＋Ｙ02＝Ｒ2  ……(3)
（ｂ−Ｚ0）2＋（γ−Ｙ0）2＝Ｒ2  ……(4)
γ2＝ａ2−ｂ2という関係を考慮すると、式(4)は以下の式(4a)に変形される。
ａ2−２（ｂＺ0＋γＹ0）＋Ｚ02＋Ｙ02＝Ｒ2  ……(4a)
【００３２】
式(3)を式(4a)に代入すると以下の式(5)が導出される。
Ｙ0＝（ａ2−２ｂＺ0）／（２γ）  ……(5)
式(5)を式(3)に代入すると以下の式(6)が導出される。
Ｚ0＝｛ａｂ±（ａ2ｂ2−ａ4＋４γ2Ｒ2）1/2｝／（２ａ）  ……(6)
さらに、式(6)を式(5)に代入することでＹ0が導出される。
以上のように複数の定数（Ｒ，ａ，ｂ）を適宜に選定して式(5)および式(6)から式(2a)におけるＹ0とＺ0とを算定することで、リム部３０の内周３１の形状を定義する変数Ｘと変数Ｙとの関係が確定する。
【００３３】
以上がリム部３０の形状を決定する方法である。もっとも、以上の手順はひとつの例示に過ぎない。すなわち、例えば設計者がマウスなどの入力装置を適宜に操作することでリム部３０の内周３１を自由曲線として定義する方法も採用される。
【００３４】
＜Ｃ：第３実施形態＞
図１３は、本発明の第３実施形態に係るマウスピース１００の構造を示す正面図および断面図である。同図に示すように、本形態におけるリム部３０は、唇接触面３４が凹曲面となるように成形されている。さらに詳述すると、唇接触面３４は、唇接触面３４から離間した位置で中心軸Ａに直交するＹ方向（鉛直方向）の直線を軸線とする円柱６９の内周面に相当する。したがって、図１３のようにＹ方向からみたときの唇接触面３４の外形は、中心軸Ａに近い位置ほど演奏者から離間する曲線となる。
【００３５】
図１４は、Ｙ方向からみたときの人間の歯列５２とマウスピース１００との関係を示す概念図である。同図に示すように複数の歯５３は曲線上に配列する。本形態におけるマウスピース１００の唇接触面３４の形状は演奏者の歯列５２の形状に応じて決定される。さらに詳述すると、唇接触面３４の曲率半径は、歯列５２の曲率半径Ｒと合致するように例えば４０ｍｍから８０ｍｍ程度の寸法に選定される。
【００３６】
金管楽器の演奏時には口腔とマウスピース１００内の空間との機密性が維持される必要がある。唇接触面３４が平面である場合には、唇の両端における機密性が確保されるようにマウスピース１００を唇に押し付けると、唇の中央部は必要以上の圧力をもって圧迫される。したがって、特に長時間にわたる演奏時には唇の疲労や充血が発生し易いという問題がある。これに対し、本形態のマウスピース１００においては演奏者の歯列５２に沿った唇接触面３４が唇の全体にわたって均等に密着するから、唇接触面３４が平面である場合ほどにはマウスピース１００を唇に押し付けなくても、口腔とマウスピース１００内の空間との機密性が確保される。したがって、演奏者の疲労を軽減できるという利点がある。幼児や小児は歯列５２の曲率半径Ｒが小さい場合が多く、唇接触面３４を平面とした場合に疲労し易いから、唇接触面３４が唇に密着する本形態のマウスピース１００は特に好適である。
【００３７】
なお、図１３においてはＺ方向からみたリム部３０の形状が真円形である構成を例示したが、リム部３０がＸ方向に長尺な形状とされた構成は、本形態においても第１実施形態や第２実施形態と同様に適用される。また、図１３においては唇接触面３４の全体にわたって曲率半径が共通する構成（唇接触面３４がひとつの曲率半径で確定される凹曲面とされた構成）を例示したが、唇接触面３４の各部の曲率半径が相違する構成も採用される。唇接触面３４の具体的な形状は、実際にマウスピース１００を使用する演奏者の唇に密着するように、演奏者の唇や歯列５２の形状を計測した結果に基づいて演奏者ごとに設定されることが望ましい。
【００３８】
＜Ｄ：変形例＞
以上の各形態には様々な変形を加えることができる。具体的な変形の態様を例示すれば以下の通りである。なお、以下の各態様を適宜に組み合わせてもよい。
【００３９】
（１）第１実施形態や第２実施形態においては、リム部３０の内周３１および外周３２の双方をＸ方向に長尺な形状とした構成を例示したが、図１５に示すようにリム部３０の外周３２は真円形であってもよい。以上の構成によれば、旋盤を利用した切削など回転体を加工する廉価な方法を利用してマウスピース１００の外形を成形できるという利点がある。
【００４０】
（２）第１実施形態や第２実施形態におけるリム部３０の形状は適宜に変更される。例えば、リム部３０の内周３１や外周３２は多角形（例えばＸ方向に長尺な菱形）であってもよい。また、リム部３０の内周３１や外周３２が部分的に長円形や楕円形とされた構成（それ以外の部分は真円形である構成）も採用される。すなわち、第１実施形態や第２実施形態においては、リム部３０の内周３１や外周３２がＸ方向に長尺な形状であればよい。
【００４１】
（３）第３実施形態においてはリム部３０の唇接触面３４が円柱６９の内周面である構成を例示したが、唇接触面３４は、例えば球体の内周面に相当する凹曲面であってもよい。また、第３実施形態における唇接触面３４が曲面である必要は必ずしもない。例えば、唇接触面３４を、複数の平面を連ねた凹面としてもよい。
【図面の簡単な説明】
【００４２】
【図１】第１実施形態に係るマウスピースの構成を示す正面図および断面図である。
【図２】唇接触面からスロートにわたるカップの形状を示す概念図である。
【図３】唇接触面からスロートにかけてカップの内径が変化する様子を示す概念図である。
【図４】唇とリム部との関係を示す概念図である。
【図５】第２実施形態のひとつの態様に係るマウスピースのリム部の形状を示す正面図である。
【図６】第２実施形態の別の態様に係るマウスピースのリム部の形状を示す正面図である。
【図７】他の態様に係るリム部の形状を示す正面図である。
【図８】他の態様に係るリム部の形状を示す正面図である。
【図９】他の態様に係るリム部の形状を示す正面図である。
【図１０】他の態様に係るリム部の形状を示す正面図である。
【図１１】リム部の形状を決定する方法を説明するための概念図である。
【図１２】図１１の方法で決定されるリム部の形状を示す概念図である。
【図１３】第３実施形態に係るマウスピースの構成を示す正面図および断面図である。
【図１４】マウスピースと歯列との関係を示す概念図である。
【図１５】変形例に係るリム部の形状を示す正面図である。
【図１６】従来のマウスピースと唇との関係を示す概念図である。
【符号の説明】
【００４３】
１００……マウスピース、２００……金管楽器の本体、１０……シャンク部、２０……カップ部、２４……スロート、３０……リム部、３１……内周、３２……外周、３４……唇接触面、５０……唇。
【図１】
2008152015.tif 000003
【図２】
2008152015.tif 000004
【図３】
2008152015.tif 000005
【図４】
2008152015.tif 000006
【図５】
2008152015.tif 000007
【図６】
2008152015.tif 000008
【図７】
2008152015.tif 000009
【図８】
2008152015.tif 000010
【図９】
2008152015.tif 000011
【図１０】
2008152015.tif 000012
【図１１】
2008152015.tif 000013
【図１２】
2008152015.tif 000014
【図１３】
2008152015.tif 000015
【図１４】
2008152015.tif 000016
【図１５】
2008152015.tif 000017
【図１６】
2008152015.tif 000018